(57)【特許請求の範囲】
【請求項１】
所定の第１の色空間上の座標を表わす第１の色データと、該第１の色データを含む画像データに基づいてカラー画像を出力する出力デバイスにより出力されるカラー画像上にあらわれる色の、デバイス非依存の第２の色空間上の座標を表わす第２の色データとの対応を定義したプロファイルを作成するプロファイル作成方法において、
前記第１の色空間上の座標を表わす第１の色データと、前記第２の色空間上の座標を表わす第２の色データとの対応を定義した、相対的に座標点の分布が粗い色対応定義を取得する色対応定義取得過程と、
前記第１の色空間上の座標を表わす第１の色データと前記第２の色空間上の座標を表わす第２の色データとの対応を定義した、前記色対応定義取得過程で得られる色対応定義と比べ相対的に座標点の分布が密な複数のプロファイルの中から１つの第１のプロファイルを選択するプロファイル選択過程と、
前記プロファイル選択過程で選択された第１のプロファイルを前記色対応定義取得過程で得られた色対応定義に基づいて修正することにより、前記第１の色空間上の座標を表わす第１の色データと前記第２の色空間上の座標を表わす第２の色データとの対応を定義した第２のプロファイルを作成するプロファイル作成過程とを有し、
前記プロファイル選択過程は、前記色対応定義取得過程で得られた色対応定義のドットゲイン量と、前記複数のプロファイルのうちの１つのプロファイルのドットゲイン量との差異を評価する第１の評価値を、前記複数のプロファイルそれぞれについて求め、該第１の評価値に基づいて、前記複数のプロファイルのうち評価された差異が小さいプロファイルの１つを前記第１のプロファイルとして選択する過程であることを特徴とするプロファイル作成方法。
【請求項２】
所定の第１の色空間上の座標を表わす第１の色データと、該第１の色データを含む画像データに基づいてカラー画像を出力する出力デバイスにより出力されるカラー画像上にあらわれる色の、デバイス非依存の第２の色空間上の座標を表わす第２の色データとの対応を定義したプロファイルを作成するプロファイル作成方法において、
前記第１の色空間上の座標を表わす第１の色データと、前記第２の色空間上の座標を表わす第２の色データとの対応を定義した、相対的に座標点の分布が粗い色対応定義を取得する色対応定義取得過程と、
前記第１の色空間上の座標を表わす第１の色データと前記第２の色空間上の座標を表わす第２の色データとの対応を定義した、前記色対応定義取得過程で得られる色対応定義と比べ相対的に座標点の分布が密な複数のプロファイルの中から１つの第１のプロファイルを選択するプロファイル選択過程と、
前記プロファイル選択過程で選択された第１のプロファイルを前記色対応定義取得過程で得られた色対応定義に基づいて修正することにより、前記第１の色空間上の座標を表わす第１の色データと前記第２の色空間上の座標を表わす第２の色データとの対応を定義した第２のプロファイルを作成するプロファイル作成過程とを有し、
前記プロファイル選択過程は、前記色対応定義取得過程で得られた色対応定義と前記複数のプロファイルのうちの１つのプロファイルとにより前記第１の色空間上の同一の座標点にそれぞれ対応づけられた前記第２の色空間上の各座標点どうしの距離を評価する第２の評価値を、前記複数のプロファイルそれぞれについて求め、該第２の評価値に基づいて、前記複数のプロファイルのうち評価された距離が小さいプロファイルの１つを前記第１のプロファイルとして選択する過程であることを特徴とするプロファイル作成方法。
【請求項３】
所定の第１の色空間上の座標を表わす第１の色データと、該第１の色データを含む画像データに基づいてカラー画像を出力する出力デバイスにより出力されるカラー画像上にあらわれる色の、デバイス非依存の第２の色空間上の座標を表わす第２の色データとの対応を定義したプロファイルを作成するプロファイル作成方法において、
前記第１の色空間上の座標を表わす第１の色データと、前記第２の色空間上の座標を表わす第２の色データとの対応を定義した、相対的に座標点の分布が粗い色対応定義を取得する色対応定義取得過程と、
前記第１の色空間上の座標を表わす第１の色データと前記第２の色空間上の座標を表わす第２の色データとの対応を定義した、前記色対応定義取得過程で得られる色対応定義と比べ相対的に座標点の分布が密な複数のプロファイルの中から１つの第１のプロファイルを選択するプロファイル選択過程と、
前記プロファイル選択過程で選択された第１のプロファイルを前記色対応定義取得過程で得られた色対応定義に基づいて修正することにより、前記第１の色空間上の座標を表わす第１の色データと前記第２の色空間上の座標を表わす第２の色データとの対応を定義した第２のプロファイルを作成するプロファイル作成過程とを有し、
前記プロファイル選択過程は、前記色対応定義取得過程で得られた色対応定義のドットゲイン量と前記複数のプロファイルのうちの１つのプロファイルのドットゲイン量との差異を評価する第１の評価値を前記複数のプロファイルそれぞれについて求め、該第１の評価値が所定の閾値以下であるプロファイルを選択し、この選択されたプロファイルのうちの１つのプロファイルと前記色対応定義とにより前記第１の色空間上の同一の座標点にそれぞれ対応づけられた前記第２の色空間上の各座標点どうしの距離を評価する第２の評価値を前記選択されたプロファイルそれぞれについて求め、前記選択されたプロファイルのうち、第２の評価値が最小のプロファイルを前記第１のプロファイルとして選択する過程であることを特徴とするプロファイル作成方法。
【請求項４】
所定の第１の色空間上の座標を表わす第１の色データと、該第１の色データを含む画像データに基づいてカラー画像を出力する出力デバイスにより出力されるカラー画像上にあらわれる色の、デバイス非依存の第２の色空間上の座標を表わす第２の色データとの対応を定義したプロファイルを作成するプロファイル作成装置において、
前記第１の色空間上の座標を表わす第１の色データと、前記第２の色空間上の座標を表わす第２の色データとの対応を定義した、相対的に座標点の分布が粗い色対応定義を取得する色対応定義取得部と、
前記第１の色空間上の座標を表わす第１の色データと前記第２の色空間上の座標を表わす第２の色データとの対応を定義した、前記色対応定義取得部で取得した色対応定義と比べ相対的に座標点の分布が密な複数のプロファイルの中から１つの第１のプロファイルを選択するプロファイル選択部と、
前記プロファイル選択部で選択された第１のプロファイルを前記色対応定義取得部で取得した色対応定義に基づいて修正することにより、前記第１の色空間上の座標を表わす第１の色データと前記第２の色空間上の座標を表わす第２の色データとの対応を定義した第２のプロファイルを作成するプロファイル作成部とを備え、
前記プロファイル選択部は、前記色対応定義取得部で得られた色対応定義のドットゲイン量と、前記複数のプロファイルのうちの１つのプロファイルのドットゲイン量との差異を評価する第１の評価値を、前記複数のプロファイルそれぞれについて求め、該第１の評価値に基づいて、前記複数のプロファイルのうち評価された差異が小さいプロファイルの１つを前記第１のプロファイルとして選択するものであることを特徴とするプロファイル作成装置。
【請求項５】
所定の第１の色空間上の座標を表わす第１の色データと、該第１の色データを含む画像データに基づいてカラー画像を出力する出力デバイスにより出力されるカラー画像上にあらわれる色の、デバイス非依存の第２の色空間上の座標を表わす第２の色データとの対応を定義したプロファイルを作成するプロファイル作成装置において、
前記第１の色空間上の座標を表わす第１の色データと、前記第２の色空間上の座標を表わす第２の色データとの対応を定義した、相対的に座標点の分布が粗い色対応定義を取得する色対応定義取得部と、
前記第１の色空間上の座標を表わす第１の色データと前記第２の色空間上の座標を表わす第２の色データとの対応を定義した、前記色対応定義取得部で取得した色対応定義と比べ相対的に座標点の分布が密な複数のプロファイルの中から１つの第１のプロファイルを選択するプロファイル選択部と、
前記プロファイル選択部で選択された第１のプロファイルを前記色対応定義取得部で取得した色対応定義に基づいて修正することにより、前記第１の色空間上の座標を表わす第１の色データと前記第２の色空間上の座標を表わす第２の色データとの対応を定義した第２のプロファイルを作成するプロファイル作成部とを備え、
前記プロファイル選択部は、前記色対応定義取得部で得られた色対応定義と前記複数のプロファイルのうちの１つのプロファイルとにより前記第１の色空間上の同一の座標点にそれぞれ対応づけられた前記第２の色空間上の各座標点どうしの距離を評価する第２の評価値を、前記複数のプロファイルそれぞれについて求め、該第２の評価値に基づいて、前記複数のプロファイルのうち評価された距離が小さいプロファイルの１つを前記第１のプロファイルとして選択するものであることを特徴とするプロファイル作成装置。
【請求項６】
所定の第１の色空間上の座標を表わす第１の色データと、該第１の色データを含む画像データに基づいてカラー画像を出力する出力デバイスにより出力されるカラー画像上にあらわれる色の、デバイス非依存の第２の色空間上の座標を表わす第２の色データとの対応を定義したプロファイルを作成するプロファイル作成装置において、
前記第１の色空間上の座標を表わす第１の色データと、前記第２の色空間上の座標を表わす第２の色データとの対応を定義した、相対的に座標点の分布が粗い色対応定義を取得する色対応定義取得部と、
前記第１の色空間上の座標を表わす第１の色データと前記第２の色空間上の座標を表わす第２の色データとの対応を定義した、前記色対応定義取得部で取得した色対応定義と比べ相対的に座標点の分布が密な複数のプロファイルの中から１つの第１のプロファイルを選択するプロファイル選択部と、
前記プロファイル選択部で選択された第１のプロファイルを前記色対応定義取得部で取得した色対応定義に基づいて修正することにより、前記第１の色空間上の座標を表わす第１の色データと前記第２の色空間上の座標を表わす第２の色データとの対応を定義した第２のプロファイルを作成するプロファイル作成部とを備え、
前記プロファイル選択部は、前記色対応定義取得部で得られた色対応定義のドットゲイン量と前記複数のプロファイルのうちの１つのプロファイルのドットゲイン量との差異を評価する第１の評価値を前記複数のプロファイルそれぞれについて求め、該第１の評価値が所定の閾値以下であるプロファイルを選択し、この選択されたプロファイルのうちの１つのプロファイルと前記色対応定義とにより前記第１の色空間上の同一の座標点にそれぞれ対応づけられた前記第２の色空間上の各座標点どうしの距離を評価する第２の評価値を前記選択されたプロファイルそれぞれについて求め、前記選択されたプロファイルのうち、第２の評価値が最小のプロファイルを前記第１のプロファイルとして選択するものであることを特徴とするプロファイル作成装置。
【発明の詳細な説明】
【０００１】
【発明の属する技術分野】
本発明は、色データを含む画像データに基づいてカラー画像を出力する、カラープリンタや印刷機などの出力デバイスにおける、カラー画像出力の基になる色データと出力されたカラー画像上の色との対応を表わすプロファイルを作成するプロファイル作成方法に関する。
【０００２】
【従来の技術】
従来より、例えば原画像をカラースキャナ等で読み取って得た画像データやコンピュータで発生させた画像データに基づいてカラープリンタや印刷機等の出力デバイスでカラー画像を出力することが広く行なわれている。このとき、例えばカラースキャナ等で読み取る前の原画像に色彩的に極力似せたカラー画像を出力したり、あるいは、所望の色表現を持ったカラー画像を出力しようとしたとき、カラー画像を出力しようとしている出力デバイスに入力される画像データに含まれる色データがカラー画像上でどのような色として表現されるかが重要となる。このような、色データと出力されたカラー画像上の色との対応関係は、その出力デバイスのプロファイルと呼ばれる。
【０００３】
図１６は、プロファイル作成の従来方法を示すフローチャートである。ここでは、出力デバイスの一例として、シアン（Ｃ）、マゼンタ（Ｍ）、イエロー（Ｙ）、および黒（Ｋ）の４色それぞれの網％を表わす色データを含む画像データに基づいてカラー画像を印刷する印刷機を例に挙げて説明する。
【０００４】
この印刷機のプロファイルを作成するには、例えばコンピュータにより、Ｃ，Ｍ，Ｙ，Ｋの４色それぞれについて網％を順次変化させた複数種類の色データそれぞれに対応する複数のカラーパッチからなるカラーチャートを表わす画像データを作成し（図１６ステップｅ１）、その画像データを印刷機に送ってその印刷機でカラーチャートを印刷させ（ステップｅ２）、カラーチャートのプリントサンプルを作る（ステップｅ３）。次に、この出力されたカラーチャートのプリントサンプル上の複数のカラーパッチそれぞれを測色計で測色して（ステップｅ４）、カラーチャート出力のために印刷機に送った色データと、そのカラーチャートを測色して得た、例えばＣＩＥで定められているＸＹＺ表色系のＸＹＺ値等の色度値との対応関係（ここではこの対応関係を「対応関係Ｍ」）と称する）を得る（ステップｅ５）。
【０００５】
このようにして作成した色データと色度値との対応関係Ｍは、カラーチャートを構成するカラーパッチの数に制限があるため、色空間上かなり粗い、まばらな座標点に対応する対応関係であり、その印刷機のプロファイルを表現するには粗過ぎる。
【０００６】
そこで、次に、補間演算処理等を含むテーブル作成計算（ここではこの計算を「計算Ａ」と称する）により、その印刷機のプロファイルを表わすテーブルＴを作成する（ステップｅ６）。
【０００７】
この計算Ａとしては、例えば、特開平１０−１２６６３３号公報に提案されている、ＣＭＹＫ色空間上の、その印刷機で表現することの領域（色再現領域）の外形を規定する立体（３次元の場合の立方体に相当する立体）上の各辺に対応する、色データと色度値との対応関係を求め、次いで複数の辺で囲まれた各面上の各座標点に対応する、色データと色度値との対応関係を求め、最後にその立体内部の各座標点に対応する、色データと色度値との対応関係を求めるという計算手法を好適に採用することができる。
【０００８】
このようにして作成されたテーブル（プロファイル）を用いることにより、印刷機を使用して所望の色表現のカラー画像を印刷することができる。
【０００９】
【発明が解決しようとする課題】
上述の方法を採用して出力デバイスのプロファイルを求めるには、その出力デバイスを用いて極めて多数のカラーパッチからなるカラーチャートを出力して測色する必要があり、そのための手間が大変であるという問題がある。上述の特開平１０−１２６６３３号公報に提案された計算方法を採用すると、それ以前の方法と比べカラーパッチの数をかなり減らすことができるが、この計算方法を採用した場合であっても、精度の良いテーブル（プロファイル）を作成するには、数百もの数のカラーパッチを出力して測定する必要がある。
【００１０】
これを改善して少ないパッチ数で済ませる方法として、特開平１０−１３６２１９号公報には、あらかじめ基準出力条件で作成したテーブルを、修正出力条件で出力した少数のカラーパッチを測色して得たデータに基づいて修正することにより新たにテーブルを作成する手法が提案されている。
【００１１】
しかしながら、その公報に提案された手法は、あらかじめ作成された既存のテーブルを利用するという考え方自体は評価できるものの、新たに作成されるテーブルの精度はその新たなテーブルの作成に利用される既存のテーブルに大きく依存することになるという問題がある。
【００１２】
本発明は、上記事情に鑑み、少ないパッチ数のカラーチャートを用いて精度の高いプロファイルを作成するプロファイル作成方法を提供することを目的とする。
【００１３】
【課題を解決するための手段】
上記目的を達成する本発明のプロファイル作成方法は、その所定の第１の色空間上の座標を表わす第１の色データと、その第１の色データを含む画像データに基づいてカラー画像を出力する出力デバイスにより出力されるカラー画像上にあらわれる色の、デバイス非依存の第２の色空間上の座標を表わす第２の色データとの対応を定義したプロファイルを作成するプロファイル作成方法において、
第１の色空間上の座標を表わす第１の色データと、第２の色空間上の座標を表わす第２の色データとの対応を定義した、相対的に座標点の分布が粗い色対応定義を取得する色対応定義取得過程と、
第１の色空間上の座標を表わす第１の色データと第２の色空間上の座標を表わす第２の色データとの対応を定義した、色対応定義取得過程で得られる色対応定義と比べ相対的に座標点の分布が密な複数のプロファイルの中から１つの第１のプロファイルを選択するプロファイル選択過程と、
プロファイル選択過程で選択された第１のプロファイルを色対応定義取得過程で得られた色対応定義に基づいて修正することにより、第１の色空間上の座標を表わす第１の色データと第２の色空間上の座標を表わす第２の色データとの対応を定義した第２のプロファイルを作成するプロファイル作成過程とを有することを特徴とする。
【００１４】
ここで、上記本発明のプロファイル作成方法において、色対応定義取得過程は、第１の色空間上の、第１のプロファイルにより対応が定義された座標点の分布よりも粗く分布した座標点に対応する複数のカラーパッチからなるカラーチャートを、出力デバイスにより出力させ、この出力デバイスにより出力されたカラーチャートを構成する複数のカラーパッチをそれぞれ測色して、各カラーパッチの、第２の色空間上の各座標を表わす各第２の色データを求めることにより、第１のプロファイルよりも座標点の分布の粗い、第１の色空間上の座標を表わす第１の色データと第２の色空間上の座標を表わす第２の色データとの対応を定義した色対応定義を求める過程であることが好ましい。
【００１５】
また、上記本発明のプロファイル作成方法において、上記プロファイル選択過程は、色対応定義取得過程で得られた色対応定義のドットゲイン量と、複数のプロファイルのうちの１つのプロファイルのドットゲイン量との差異を評価する第１の評価値を、それら複数のプロファイルそれぞれについて求め、その第１の評価値に基づいて、それら複数のプロファイルのうち評価された差異が小さいプロファイルの１つを第１のプロファイルとして選択する過程であることが好ましい。
【００１６】
ドットゲイン量が近似しているプロファイルを第１のプロファイルとして選択すると、その第１のプロファイルを、カラーチャートから求めた色対応定義に適合するように修正することにより高精度の第２のプロファイルを作成することができる。
【００１７】
また、上記本発明のプロファイル作成方法において、上記プロファイル選択過程は、色対応定義取得過程で得られた色対応定義と上記複数のプロファイルのうちの１つのプロファイルとにより第１の色空間上の同一の座標点にそれぞれ対応づけられた第２の色空間上の各座標点どうしの距離を評価する第２の評価値を、それら複数のプロファイルそれぞれについて求め、その第２の評価値に基づいて、それら複数のプロファイルのうち評価された距離が小さいプロファイルの１つを第１のプロファイルとして選択する過程であることも好ましい。
【００１８】
上記の距離が近いプロファイルを第１のプロファイルとして選択することによっても、高精度の第２のプロファイルを作成することができる。
【００１９】
さらに、上記本発明のプロファイル作成装置において、上記プロファイル選択過程は、色対応定義取得過程で得られた色対応定義のドットゲイン量と複数のプロファイルのうちの１つのプロファイルのドットゲイン量との差異を評価する第１の評価値を複数のプロファイルそれぞれについて求めるとともに、色対応定義と複数のプロファイルのうちの１つのプロファイルとにより第１の色空間上の同一の座標点にそれぞれ対応づけられた第２の色空間上の各座標点どうしの距離を評価する第２の評価値を複数のプロファイルそれぞれについて求め、求められた第１の評価値と第２の評価値との双方に基づいて、それら複数のプロファイルのうち、評価された差異が小さく、かつ評価された距離が小さいプロファイルの１つを第１のプロファイルとして選択する過程であることがさらに好ましい形態である。
【００２０】
ドットゲイン量と上記の距離との双方を評価して第１のプロファイルを選択することにより、新たな第２のプロファイル作成の基になる第１のプロファイルとしてふさわしいプロファイルを一層正確に選択することができる。
【００２１】
また、上記目的を達成する本発明のプロファイル作成装置は、所定の第１の色空間上の座標を表わす第１の色データと、その第１の色データを含む画像データに基づいてカラー画像を出力する出力デバイスにより出力されるカラー画像上にあらわれる色の、デバイス非依存の第２の色空間上の座標を表わす第２の色データとの対応を定義したプロファイルを作成するプロファイル作成装置において、第１の色空間上の座標を表わす第１の色データと、第２の色空間上の座標を表わす第２の色データとの対応を定義した、相対的に座標点の分布が粗い色対応定義を取得する色対応定義取得部と、
第１の色空間上の座標を表わす第１の色データと第２の色空間上の座標を表わす第２の色データとの対応を定義した、色対応定義取得部で取得した色対応定義と比べ相対的に座標点の分布が密な複数のプロファイルの中から１つの第１のプロファイルを選択するプロファイル選択部と、
プロファイル選択部で選択された第１のプロファイルを、色対応定義取得部で取得した色対応定義に基づいて修正することにより、第１の色空間上の座標を表わす第１の色データと第２の色空間上の座標を表わす第２の色データとの対応を定義した第２のプロファイルを作成するプロファイル作成部とを備えたことを特徴とする。
【００２２】
ここで、上記本発明のプロファイル作成装置において、上記プロファイル選択部は、色対応定義取得部で得られた色対応定義のドットゲイン量と、複数のプロファイルのうちの１つのプロファイルのドットゲイン量との差異を評価する第１の評価値を、複数のプロファイルそれぞれについて求め、その第１の評価値に基づいて、複数のプロファイルのうち評価された差異が小さいプロファイルの１つを第１のプロファイルとして選択するものであってもよく、あるいは
上記プロファイル選択部は、色対応定義取得部で得られた色対応定義と上記複数のプロファイルのうちの１つのプロファイルとにより第１の色空間上の同一の座標点にそれぞれ対応づけられた第２の色空間上の各座標点どうしの距離を評価する第２の評価値を、それら複数のプロファイルそれぞれについて求め、その第２の評価値に基づいて、それら複数のプロファイルのうち評価された距離が小さいプロファイルの１つを第１のプロファイルとして選択するものであってもよく、あるいは
上記プロファイル選択部は、色対応定義取得部で得られた色対応定義のドットゲイン量と複数のプロファイルのうちの１つのプロファイルのドットゲイン量との差異を評価する第１の評価値を複数のプロファイルそれぞれについて求めるとともに、色対応定義と複数のプロファイルのうちの１つのプロファイルとにより第１の色空間上の同一の座標点にそれぞれ対応づけられた第２の色空間上の各座標点どうしの距離を評価する第２の評価値を複数のプロファイルそれぞれについて求め、求められた第１の評価値と第２の評価値との双方に基づいて、それら複数のプロファイルのうち、評価された差異が小さく、かつ評価された距離が小さいプロファイルの１つを第１のプロファイルとして選択するものであってもよい。
【００２３】
さらに、上記本発明のプロファイル作成装置において、上記プロファイル選択部は、色対応定義取得部で取得した色対応定義および上記複数のプロファイルの、ドットゲイン量の変化を示すグラフを表示するディスプレイと、それら複数のプロファイルの中から所望のプロファイルを第１のプロファイルとして選択するための操作子とを備え、その操作子の操作に応じて第１のプロファイルを選択するものであることも好ましい形態である。
【００２４】
第１のプロファイルを選択するに当たっては、操作者にドットゲインの情報を与え、操作者がその第１のプロファイルを選択するように構成してもよい。
【００２５】
【発明の実施の形態】
以下、本発明の実施形態について説明する。
【００２６】
図１は、画像出力システムの概略構成図である。
【００２７】
ここには、パーソナルコンピュータ１０と印刷機２０が示されている。
【００２８】
パーソナルコンピュータ１０には、例えば図示しないカラースキャナで画像を読み取って得た画像データやＤＳＣ（ディジタルスチールカメラ）での撮影により得られた画像データが入力される。あるいはそのパーソナルコンピュータ１０の内部で、例えばカラーチャート用の画像データ等を発生させることもできる。パーソナルコンピュータ１０に入力された画像データは、その画像データに基づく画像を図示の印刷機２０で出力しようとする時は、パーソナルコンピュータ１０内で、その画像データがその出力しようとしている印刷機２０に適合したＣＭＹＫの各網％を表わす画像データに変換される。
【００２９】
この変換にあたっては、印刷機２０に送られる色データとその印刷機２０で印刷出力されるカラー画像上の色（色度値）との対応を表わす、その印刷機２０に依存するプロファイルが参照され、印刷機２０で所望の色表現を持ったカラー画像２１が印刷出力されるように変換が行なわれる。ここでは、カラー画像上の色表現に着目しており、この色に関する変換を「色変換」と称する。
【００３０】
ここで、この図１には出力デバイスの一例として印刷機２０を示したが、この出力デバイスは印刷機に限られるものではなく、例えばカラープリンタであってもよい。その出力デバイスとしてカラープリンタを採用する場合においても、そのカラープリンタは、電子写真方式のカラープリンタであってもよく、インクジェット方式のカラープリンタであってもよく、変調されたレーザ光で印画紙を露光してその印画紙を現像する方式のプリンタであってもよい。さらにはその出力デバイスは、表示画面上に画像を表示するＣＲＴディスプレイ装置、プラズマディスプレイ装置等の画像表示装置であってもよい。ただし、ここでは、印刷機２０を例に挙げて説明を続ける。
【００３１】
図２は、図１の印刷機２０のプロファイルの概念図である。
【００３２】
このプロファイル２２は印刷機２０の色再現特性を表わすプロファイルであり、このプロファイルは印刷プロファイルと称される。この印刷プロファイル２２は、パーソナルコンピュータ１０で色変換が行なわれた後の色データ（ここではＣＭＹＫの各網％を表わす色データである。以下これを単に「ＣＭＹＫデータ」と称することがある）と、その色データに基づいて印刷出力されるカラー画像上の色を表わす色度値（ここではＸＹＺ値）との対応関係を表わすものである。本実施形態では、ＣＭＹＫの各色軸で規定される色空間が本発明にいう第１の色空間に対応し、色度値（ＸＹＺ値）を規定する色空間が、本発明にいう、デバイス非依存の第２の色空間に対応する。したがって本実施形態では、ＣＭＹＫデータが本発明にいう第１の色データに相当し、ＸＹＺ値を表わす色データ（以下、単に「ＸＹＺデータ」と称することがある）が本発明にいう第２の色データに相当する。
【００３３】
この印刷プロファイル２２を参照することにより、この印刷機２０にどのようなＣＭＹＫデータを入力するとどのような色の印刷物が得られるかを知ることができる。
【００３４】
この印刷プロファイル２０は、印刷機が異なれば当然に異なるが、１台の印刷機であっても、その印刷条件、例えば使用するインクの種類や印刷用紙の種類等によってもそれぞれ異なる、印刷機および印刷条件に依存したプロファイルである。
【００３５】
ここで、本発明にいう「デバイス非依存の第２の色空間」について説明する。この第２の色空間については、ＸＹＺ色空間がその１つの例である旨説明したが、ＸＹＺ色空間である必要はなく、特定のデバイスに依存しないように定義された色空間であればよい。例えばＸＹＺ色空間のほか、Ｌ*ａ*ｂ*色空間（ＣＩＥＬＡＢ色空間）であってもよく、あるいはそれらの色空間に対し、色空間上の各座標点が１対１で対応づけられるように明確に定義された座標系であってもよい。そのような座標系の例としては、以下の様に定義された標準ＲＧＢ信号などがある。
【００３６】
【数１】
0003910323.tif 000002
【００３７】
ここで、例えばＲSRGBを８ビットで表現したものをＲ8bitで表記すると、
Ｒ8bit＝２５５×１２．９２ＲSRGB    （０＜ＲSRGB＜０．００３０４）
Ｒ8bit＝２５５×１．０５５ＲSRGB(1.0/2.4)  −０．０５５
（０．００３０４≦ＲSRGB≦１）
となる。ＧSRGB，ＢSRGBを８ビットで表現したＧ8bit，Ｂ8bitも同様に、それぞれＧSRGB，ＢSRGBから変換することができる。
【００３８】
もしくは、リバーサルフィルムのｃｍｙ濃度で定義される色空間を共通色空間として採用してもよい。ただし、本実施形態では色度値（ＸＹＺデータ）を規定する色空間を第２の色空間として説明する。
【００３９】
ここで、図１に示すシステムにおけるパーソナルコンピュータ１０は、本発明のプロファイル作成装置の一実施形態に相当し、本発明のプロファイル作成方法の、後述する実施形態においてもその一部で使用されるため、以下、先ずこのパーソナルコンピュータ１０について説明する。
【００４０】
図３は、図１に１つのブロックで示すパーソナルコンピュータ１０の外観斜視図、図４は、そのパーソナルコンピュータ１０のハードウェア構成図である。
【００４１】
このパーソナルコンピュータ１０は、外観構成上、本体装置１１、その本体装置１１からの指示に応じて表示画面１２ａ上に画像を表示する画像表示装置１２、本体装置１１に、キー操作に応じた各種の情報を入力するキーボード１３、および、表示画面１２ａ上の任意の位置を指定することにより、その位置に表示された、例えばアイコン等に応じた指示を入力するマウス１４を備えている。この本体装置１１は、外観上、フロッピィディスクを装填するためのフロッピィディスク装填口１１ａ、およびＣＤ−ＲＯＭを装填するためのＣＤ−ＲＯＭ装填口１１ｂを有する。
【００４２】
本体装置１１の内部には、図４に示すように、各種プログラムを実行するＣＰＵ１１１、ハードディスク装置１１３に格納されたプログラムが読み出されＣＰＵ１１１での実行のために展開される主メモリ１１２、各種プログラムやデータ等が保存されたハードディスク装置１１３、フロッピィディスク１１０が装填されその装填されたフロッピィディスク１１０をアクセスするＦＤドライバ１１４、ＣＤ−ＲＯＭ１２０が装填され、その装填されたＣＤ−ＲＯＭ１２０をアクセスするＣＤ−ＲＯＭドライバ１１５、図示しないカラースキャナやＤＳＣ（ディジタルスチールカメラ）等、画像を入力する入力デバイスから画像データを受け取る入力インタフェース１１６、印刷機２０（図１参照）と接続され、印刷機２０に画像データを送る出力インタフェース１１７が内蔵されており、これらの各種要素と、さらに図３にも示す画像表示装置１２、キーボード１３、マウス１４は、バス１５を介して相互に接続されている。
【００４３】
ここで、ＣＤ−ＲＯＭ１２０には、このパーソナルコンピュータ１０をプロファイル作成装置として動作させるためのプログラムが記憶されており、そのＣＤ−ＲＯＭ１１０はＣＤ−ＲＯＭドライバ１１５に装填され、そのＣＤ−ＲＯＭ１２０に記憶されたプログラムがこのパーソナルコンピュータ１０にアップロードされてハードディスク装置１１３に記憶される。
【００４４】
次に、プロファイルの作成方法について説明する。
【００４５】
図５は、本発明のプロファイル作成方法の一実施形態を示すフローチャートである。
【００４６】
ここでは、先ず、図１に示すパーソナルコンピュータ１０により、Ｃ，Ｍ，Ｙ，Ｋ４色それぞれについて網％を順次変化させた複数種類のＣＭＹＫデータに対応する複数のカラーパッチからなるカラーチャートを表わす画像データを作成し（ステップａ１）、その画像データを印刷機２０に送ってその印刷機２０でカラーチャートを印刷出力させ（ステップａ２）、そのカラーチャートのプリントサンプルを得る（ステップａ３）。ここまでのステップは、図１６を参照して説明した従来のステップと同様であるが、本実施形態によれば、印刷機２０で出力されるカラーチャートを構成するカラーパッチの数は、従来と比べかなり少数で済む。
【００４７】
ステップａ４では、従来と同様にして、印刷機２０で印刷されたカラーチャートのプリントサンプルを構成する各カラーパッチを測色計で測色して各カラーパッチごとのＸＹＺデータを得、これにより、ＣＭＹＫデータとＸＹＺデータとの対応を表わす対応関係Ｎを得る（ステップａ５）。この対応関係Ｎは、図１６に示す従来のフローチャート中のステップｂ５で得られる対応関係Ｍと比べ、対応するＣＭＹＫデータとＸＹＺデータとのペアの数が少ない、すなわち色空間上でまばらな座標点に対応する対応関係である。本実施形態では、この対応関係Ｎが本発明にいう色対応定義に相当し、ステップａ１〜ａ５が本発明にいう色対応定義取得過程に対応する。
【００４８】
図６は、図５のステップａ６〜ａ８の各ステップごとの処理の説明図、図７は、図５のステップａ９〜ａ１１の各ステップごとの処理の説明図である。
【００４９】
上記のステップａ１〜ａ５により対応関係を求めた後、次に、その求められた対応関係Ｎが、計算区分別に分類される（ステップａ６）。
【００５０】
ここでは、この対応関係Ｎが、例えばＣ軸上の座標点に対応するデータの集合、Ｍ軸上の座標点に対応するデータの集合等の計算区分に分類される。この計算区分の詳細については後述する。
【００５１】
図６（ａ６）では、多数の計算区分のうちの１つの代表例として、Ｃ軸上の座標点に対応するデータの集合、すなわち、Ｍ，Ｙ，Ｋがいずれも０％であって、Ｃが０％，４０％，１００％のデータの集合からなる区分ｉが示されている。図４（ａ６）のグラフの横軸は、シアン（Ｃ）の網％であり、縦軸は色度値（ここではＸＹＺデータのうちのＸ，Ｙ，Ｚのそれぞれの値）である。
【００５２】
図６（ａ６）では、例示的に、横軸がＣ軸、縦軸がＸ，Ｙ，Ｚの各軸でそれぞれ規定される各平面上に（Ｃ，Ｍ，Ｙ，Ｋ）＝（０％，０％，０％，０％，），（４０％，０％，０％，０％，），（１００％，０％，０％，０％，）の各ＣＭＹＫデータに対するＸ，Ｙ，Ｚそれぞれのデータ（図６（ａ６）には明示的には、Ｘデータのみ）がプロットされている。
【００５３】
図５に示すステップａ７では、図６（ａ７）に示すように、図６（ａ６）のようなグラフであらわされる色度値（ここではＸ，Ｙ，Ｚそれぞれのデータ）が、０．０〜１．０値となるように正規化される。この正規化は、例えば色度値Ｘに関して代表的に示すと、
Ｘ’＝（Ｘ−Ｘ100）／（Ｘ0−Ｘ100）        ……（１）
但し、Ｘ’は正規化後の色度値Ｘ
Ｘは正規化前の色度値Ｘ
Ｘ0は網％が０％のときの色度値Ｘ
Ｘ100は網％が１００％のときの色度値Ｘ
である。
の演算により行なわれる。この正規化された値を、ここでは値Ｐと称する。
【００５４】
図６（ａ７）には、正規化後の色度値Ｘ’をプロットしたグラフが示されている。
【００５５】
図５のステップａ８では、テーブルＴ１から区分ｉと同じ色軸上の色度値が抽出されて正規化される。
【００５６】
図６には、Ｃ軸とＸ軸とからなるグラフが示されており、この場合、テーブルＴ１のＣ軸上の色度値が抽出されて、上記の式（１）により正規化される。ここでは、このようにしてテーブルＴ１から抽出して正規化した値を、値Ｑと称する。図６（ａ８）のグラフには、図６（ａ７）に示す値Ｐ（○印）に加え、テーブルＴ１から得られた値Ｑ（×印）も示されている。
【００５７】
ここで、テーブルＴ１は、図１に示す印刷機２０の、各種の印刷条件の下で作成された複数の既存のテーブル（印刷プロファイル）の中から選択された１つのテーブルであるが、テーブル（印刷プロファイル）を今回作成しようとしているときの印刷条件とは異なる印刷条件に対応するものである。図５に示すステップａ２０は、複数の既存のテーブルからテーブルＴ１を選択する過程（本発明にいうプロファイル選択過程の一例）であるが、このステップ２０の説明は後にまわし、ここでは、印刷機２０の各種印刷条件に対応する各種の既存のテーブルＴの中から１つのテーブルＴ１が選ばれるものとして説明を続ける。
【００５８】
図５のステップａ９では、値Ｑ（図７（ａ９）の×印）が値Ｐ（図７（ａ９）の○印）と一致するように値Ｑに係数を掛けてその値Ｑを補正する。図７（ａ９）を参照しながらこの補正方法について説明する。
【００５９】
ここでは、網％が０％，４０％，１００％のときの値Ｐが存在し、０％の値Ｐ（および値Ｑ）は１．０に、１００％の値Ｐ（および値Ｑ）は０．０に規格化されている。ここでは４０％のときの値Ｐと値Ｑとの比ｋ４０＝値Ｐ／値Ｑを求める。
【００６０】
次に各網％ごとの係数ｋを求め、各網％ごとのｋ・Ｑが求める。
【００６１】
すなわち、網％が０％〜４０％の範囲内では、０％のときの比ｋ０＝０と４０％のときの比ｋ４０＝（４０％における（値Ｐ／値Ｑ））を線形補間して、各網％ごとの比ｋを求め、各網％ごとにｋ・Ｑを求める。
【００６２】
例えば網％２０％に関しては、ｋ２０＝ｋ４０×２０／４０＝０．５・ｋ４０、網％１０％に関してはｋ１０＝４０×１０／４０＝０．２５・ｋ４０となる。
【００６３】
また、４０％〜１００％の範囲についても、ｋ４０と、１００％のときの比ｋ１００＝０とが線形補間されて各網％ごとの係数ｋが求められ、各網％ごとにｋ・Ｑが求められる。
【００６４】
例えば６０％に関しては、
0003910323.tif 000003
となる。
【００６５】
このようにして値Ｑを補正すると、図７（ａ１０）に示すように、値Ｐ（○印）一致した曲線（×印）が得られる。この曲線（×印）は、値Ｐ（○印）に一致するとともに、補正前のもともとの値Ｑ（図７（ａ９）参照）からなる曲線が持っている非線形性、すなわち、その値Ｑを抽出してきたテーブルＴ１（図６（ａ８）参照）の非線形性を反映した曲線である。
【００６６】
このようにして求めた、補正された値Ｑは、０．０〜１．０に正規化されたものであるため、これを前述の式（１）の逆変換、すなわち、
Ｘ＝Ｘ100＋（Ｘ0−Ｘ100）・Ｘ’        ……（２）
但し、Ｘは逆変換後の値Ｑ
Ｘ0は網％が０％のときの、式（１）による正規化前の値Ｐ
Ｘ100は網％が１００％のときの、式（１）による正規化前の値Ｐ
Ｘ’は、補正された値Ｑ
を表わす。
に従って、図７（ａ１１）に示すような、色度値Ｘ（あるいはＹ，Ｚ）に戻される（ステップａ１０）。
【００６７】
次に、このようにして求めた色度値の曲線（図７（ａ１１）の×印）から、ステップａ１３におけるテーブル作成計算（計算Ａ）に必要な値が抽出され（ステップａ１１）、色データ（ＣＭＹＫデータ）と色度値（ＸＹＺデータ）との対応関係Ｍが作成される。この対応関係Ｍは、少数のカラーパッチの測色データと、既存のテーブルＴ１を用いて作成されたものであるという点は異なるが、図１６に示すプロファイル作成の従来法のステップｂ５で作成される対応関係Ｍに相当するものである。
【００６８】
図１６を参照して説明した従来法では、多数のカラーパッチからなるカラーチャートを出力してそれら多数のカラーパッチを測色することに対応関係Ｍを得てい得るが、図５に示す本発明の実施形態では、より少数のカラーパッチからなるカラーチャートを出力してそれら少数のカラーパッチを測色することにより対応関係Ｎ（図５ステップａ５参照）を作成し、テーブルＴ１を用いた演算により、そのテーブルＴ１の非線形性を反映させながら対応関係Ｎよりも大規模な（対応づけられたパラメータの多い）対応関係Ｍが作成される。このように、本実施形態によれば、カラーチャートを構成するカラーパッチの数は少数で済み、したがって測色の手間が削減され、かつ、テーブルＴ１の非線形性を反映させることにより、図１６に示す従来法における実際の測定により作成される対応関係Ｍと比べても遜色のない程度の、高精度な対応関係Ｍが作成される。
【００６９】
図５のステップａ１３では、対応関係Ｍに基づいて、図１６に示す従来法のステップｂ６と同じ計算（計算Ａ）が実行され、今回目的としているテーブルＴ２（本発明にいう第２のプロファイルの一例に相当する）が作成される。
【００７０】
ここで、本実施形態では、ステップａ６〜ａ１４の過程が、本発明にいうプロファイル作成過程に相当する。
【００７１】
尚、この実施形態では、一旦対応関係Ｍを作成してから計算Ａを実行しているが、これは、図１６の従来法でも採用されている計算Ａを実行する計算プログラムをそのまま利用するためである。ただし必ずしもこのような従来法の一部利用にこだわる必要はなく、その場合ステップａ１０から求めた色度値の曲線（図７ａ１１）の×印）から直接にテーブルＴ２を計算してもよい。
【００７２】
次に図５のステップａ２０で示す、本発明にいうプロファイル選択過程の実施態様について説明する。
【００７３】
図８は、図５のステップａ２０の第１例を示すフローチャートである。
【００７４】
図８のステップｂ１では、カラーチャートを出力して測色することにより得られた、データ（ＣＭＹＫデータ）と色度値（ＸＹＺデータ）との対応関係Ｎから、Ｃ，Ｍ，Ｙ，Ｋそれぞれの各単色階調（すなわちＣＭＹＫ色空間におけるＣ，Ｍ，Ｙ，Ｋの各色軸上）の０％，５０％，１００％のデータをピックアップし、ステップｂ２において、Ｃ，Ｍ，Ｙ，Ｋのそれぞれについて、以下のＭｕｒｒａｙ−Ｄａｖｉｓ（マーレイデービス）の式（３）により、データ上の網％が５０％の時の、ドットゲインを考慮した網％ａ（５０％）を求める。
【００７５】
ドットゲインを考慮した網％ａを求めるにあたり、色度値としてＸを用いるものとすると、網％ａは、
【００７６】
【数２】
0003910323.tif 000004
【００７７】
但し、ａはドットゲインを考慮した網％
Ｘは色度値（ここでは網％が５０％のときの色度値）
Ｘ0は網％が０％のデータで印刷した、印刷用紙の地肌の色度値
Ｘ100は網％が１００％のデータで印刷したベタ部の色度値
を表わしている。
の式で求めることができる。
【００７８】
ここで、Ｃ色，Ｍ色，Ｙ色，Ｋ色の、ドットゲインを考慮した網％を求めるにあたっては、それぞれ、色度値Ｘ，色度値Ｙ，色度値Ｚ，色度値Ｋが用いられる。
【００７９】
次に、ステップｂ３において、
Ｄm＝ａ（５０％）−５０            ……（４）
により、データ上の網％が５０％の時のドットゲイン量が求められる。上式（４）は、Ｃ，Ｍ，Ｙ，Ｋを区別せずに示した式であり、上記のようにして、対応関係Ｎから求めたＣ，Ｍ，Ｙ，Ｋの各ドットゲインを、ここでは、それぞれＤmc，Ｄmm，Ｄmy，Ｄmkで表わす。
【００８０】
図９は、ドットゲインを模式的に示した図である。
【００８１】
横軸は入力の、すなわちデータ上の網％、縦軸は、印刷された画像上における実際の網％からデータ上の網％を差し引いたドットゲインである。横軸の網％が０％と１００％ではドットゲインは０であり、中央で大きな値となる。
【００８２】
また、ステップｂ４〜ｂ６では、ステップｂ１〜ｂ３と同様にして、複数の既存のテーブルＴ（図５ステップａ２０参照）のそれぞれについて、ドットゲイン量が求められる。
【００８３】
すなわち、ステップｂ４では、テーブルＴから、Ｃ，Ｍ，Ｙ，Ｋそれぞれの各単色階調（すなわちＣＭＹＫ色空間におけるＣ，Ｍ，Ｙ，Ｋの各色軸上）の０％，５０％，１００％のデータがピックアップされ、ステップｂ５では、上述のマーレイデービスの式（３）により、Ｃ，Ｍ，Ｙ，Ｋそれぞれについて、網％が５０％のときのドットゲインを参照した網％が求められ、式（４）と同様の式により、Ｃ，Ｍ，Ｙ，Ｋそれぞれについてのドットゲイン量Ｄpが求められる。ここでは、テーブルＴから求めたＣ，Ｍ，Ｙ，Ｋのドットゲイン量を、それぞれ、Ｄpc，Ｄpm，Ｄpy，Ｄpkと表記する。
【００８４】
次に、ステップｂ７では、上記のステップｂ１〜ｂ３において対応関係から求めたドットゲイン量Ｄmc，Ｄmm，Ｄmy，Ｄmkと上記のステップｂ４〜ｂ６においてテーブルＴから求めたドットゲイン量Ｄpc，Ｄpm，Ｄpy，Ｄpkとの差の和からなる評価値αを、式
α＝（Ｄpc−Ｄmc）＋（Ｄpm−Ｄmm）＋（Ｄpy−Ｄmy）＋（Ｄpk−Ｄmk）……（４）
により求める。この評価値αは、本発明にいう第１の評価値の一例に相当する。
【００８５】
上記式（４）による評価値αが複数の既存のテーブルＴのそれぞれについて求められ、ステップｂ８では、それら複数の既存のテーブルＴの中の、ステップｂ７で求めた評価値αが最小のテーブルＴがテーブルＴ１（図５ステップａ２０参照）として選択される。
【００８６】
このようにして、既存のテーブルＴの中から、ドットゲインが今回の印刷条件におけるドットゲインに最も近似したテーブルを選ぶことにより、図５のフローチャートに従って、高精度のテーブルＴ２を作成することができる。
【００８７】
尚、ここでは、式（４）に基づいて評価値αを求めたが、評価値αは、カラーチャート（対応関係Ｎ）から求めたドットゲインとテーブルＴから求めたドットゲインとの差異を評価することのできる評価値であればよく、必ずしも式（４）に基づく必要はない。
【００８８】
例えば、下記式
α＝（Ｄpc−Ｄmc）2＋（Ｄpm−Ｄmm）2＋（Ｄpy−Ｄmy）2＋（Ｄpk−Ｄmk）2
……（５）
に基づいて評価値αを求めてもよい。
【００８９】
また、ここでは、ＣＭＹＫの各単色のドットゲインに基づいて評価値αを求めたが、これに代わり、例えばＫ＝０％のときのＣＭＹ色空間のグレー軸（Ｃ＝Ｍ＝Ｙを満たす色軸）上のドットゲインを求め、そのグレー軸上のドットゲインに基づいて評価値αを求めてもよい。
【００９０】
図１０は、図５のステップａ２０の第２例を示すフローチャートである。
【００９１】
ここでは、ステップｃ１において、ＣＭＹＫの、０％と１００％との各組合せ、
すなわち、
0003910323.tif 000005
の１６通りの組合せのそれぞれについて、ＸＹＺデータを、対応関係ＮとテーブルＴとのそれぞれから求める。
【００９２】
ここでは対応関係Ｎから求めたＸＹＺの各値をＸm，Ｙm，Ｚmとし、上記の１〜１６のそれぞれのＣＭＹＫデータに対応して添字１〜１６を付してＸm1，Ｙm1，Ｚm1，Ｘm2，Ｙm2，Ｚm2，…と表記する。
【００９３】
また、これと同様に、テーブルＴから求めたＸＹＺの各値をＸp，Ｙp，Ｚpとし、上記の１〜１６のそれぞれのＣＭＹＫデータに対応して添字１〜１６を付してＸp1，Ｙp1，Ｚp1，Ｘp2，Ｙp2，Ｚp2，…と表記する。
【００９４】
次に、ステップＣ２において、次式に基づいて、（Ｘm，Ｙm，Ｚm）と（Ｘp，Ｙp，Ｚp）との間の距離を評価する評価値βを求める。この評価値βは本発明にいう第２の評価値の一例に相当する。
【００９５】
β＝（Ｘp1−Ｘm1）2＋（Ｘp2−Ｘm2）2＋…＋（Ｘp16−Ｘm16）2
＋（Ｙp1−Ｙm1）2＋（Ｙp2−Ｙm2）2＋…＋（Ｙp16−Ｙm16）2
＋（Ｚp1−Ｚm1）2＋（Ｚp2−Ｚm2）2＋…＋（Ｚp16−Ｚm16）2  ……（７）
ステップｃ１におけるテーブルＴに関するＸＹＺ値を求める処理、およびステップｃ２における上記式（７）に基づく評価値βの演算は、既存の複数テーブルＴ（図５ステップ２０参照）のそれぞれについて行われ、ステップＣ３では、それら複数のテーブルＴの中の、評価値βが最小のテーブルがテーブルＴ１（図５のステップ２０参照）として選択される。
【００９６】
このように、同一のＣＭＹＫデータに対応する、カラーチャート（対応関係Ｎ）から求めたＸＹＺ値に近似したＸＹＺ値を持つテーブルＴをテーブルＴ１として選択することによっても、そのテーブルＴ１を用いて高精度の新たなテーブルＴ２（図５のステップａ１４参照）を求めることができる。
【００９７】
尚、ここでは、上式（７）に基づいて評価値βを求めたが、評価値βは、同一のＣＭＹＫ色空間上の座標点に対応する、カラーチャート（対応関係Ｎ）から求めたＸＹＺ色空間上の座標点とテーブルＴから求めたＸＹＺ色空間上の座標点との距離を評価する評価値であればよく、必ずしも上記式（７）に基づく必要はない。例えば下記式
β＝√（Ｘp1−Ｘm1）2＋√（Ｘp2−Ｘm2）2＋…＋√（Ｘp16−Ｘm16）2
＋√（Ｙp1−Ｙm1）2＋√（Ｙp2−Ｙm2）2＋…＋√（Ｙp16−Ｙm16）2
＋√（Ｚp1−Ｚm1）2＋√（Ｚp2−Ｚm2）2＋…＋√（Ｚp16−Ｚm16）2……（８）
に基づいて評価値βを求めてもよい。
【００９８】
また、上記第２例では、ＣＭＹＫの０％と１００％との各組合せ（上記式（６））についてＸＹＺ値の‘距離’を評価する評価値βを求めたが、ＣＭＹＫの０％と１００％との各組合せに代わり、ＣＭＹＫの０％と５０％と１００％との各組合せ、すなわち、
0003910323.tif 000006
のような各組合せについて、上記式（７）あるいは（８）と同様な式により評価値βを求めてもよく、あるいは、Ｃ，Ｍ，Ｙ，Ｋの各色軸上での０％，５０％，１００％の組合せ、すなわち、
0003910323.tif 000007
について、上記式（７）あるいは式（８）と同様な式により評価値βを求めてもよい。
【００９９】
印刷物の色空間は、単色の階調特性が決まるとその重なりは光量リニアな特性で色度値が決まってくるため、上記式（１０）のＣＭＹＫデータに対応するＸＹＺ値の比較、すなわち単色の階調特性の比較から、色空間特性の近似度を大まかに判断することができる。
【０１００】
あるいは、Ｃ，Ｍ，Ｙ，Ｋの各色軸上の０％，５０％，１００％のデータ（すなわち上式（１０））と、それに加えてＣ＝Ｍ＝Ｙ＝Ｋの各色軸上の５０％，１００％のデータ、すなわち、
（Ｃ，Ｍ，Ｙ，Ｋ）＝（５０，５０，５０，５０）
（Ｃ，Ｍ，Ｙ，Ｋ）＝（１００，１００，１００，１００）  ……（１１）
とを合わせたＣＭＹＫデータに対するＸＹＺ値の‘距離’を評価する評価値βを求めてもよい。
【０１０１】
単色では色が一致していても、単色の重なりで色が違ってきてしまう場合、上記式（１０）に上記式（１１）を加えて４色の重なり部分も含めて判断することで、色空間特性の近似度をおおまかに判断してもよい。
【０１０２】
さらに、上記第２例およびその各種変形例では、ＣＭＹＫ色空間上の同一座標点に対する、ＸＹＺ色空間上の座標点どうしの距離を評価したが、対応関係ＮおよびテーブルＴとして、ＣＭＹＫデータと、Ｌ*ａ*ｂ*データとの対応を定義しておき、‘距離’を評価する評価値βを求めるにあたっては、Ｌ*ａ*ｂ*色空間上の‘距離’を評価する評価値を求めてもよい。
【０１０３】
図１１は、図５のステップａ２０の第３例を示すフローチャートである。
【０１０４】
ここでは、先ずステップｄ１において、複数の既存のテーブルＴのそれぞれについて、カラーチャート（対応関係Ｎ）と比べた時のドットゲインの相違を表わす評価値αが求められる。このステップｄ１は、具体的には、図８のステップｂ１〜ｂ７である。
【０１０５】
各テーブルＴのそれぞれについて評価値αが求められると、ステップｄ２において、評価値αが所定の閾値Ｃ以下であるテーブルＴが選択される。この段階では、一般的には、まだ複数のテーブルＴが残っている。
【０１０６】
次に、ステップｄ３では、ステップｄ２で選択された各テーブルＴについて図１０を参照して説明した、‘距離’を評価する評価値βが求められる。このステップｄ３は、具体的には、図１０のフローチャートのステップｃ１〜ｃ２である。
【０１０７】
ステップｄ４では、ステップｄ３で求めた評価値βが最小のテーブルが、テーブルＴ１（図５のステップ２０参照）として選択される。
【０１０８】
このように、ドットゲインと距離との双方を評価してテーブルＴを選択する方法を採用すると、テーブルＴ１として選択されるにふさわしいテーブルを一層確実に選択することができる。
【０１０９】
次に、カラーチャートを得るためのＣＭＹＫデータの選び方について説明する。
【０１１０】
図１２は、ＣＭＹＫ空間を、Ｋ＝０％，１０％，２０％，…，１００％それぞれのＣＭＹサブ空間に分けた様子を示す模式図である。
【０１１１】
各ＣＭＹサブ空間は３次元空間であり、ＣＭＹの各値は０％〜１００％で表わされるため、印刷機２０（図１参照）で色を再現することのできる領域（色再現領域）は、ＣＭＹからなる３次元空間上の立方体で表わされる。
【０１１２】
図１３は、図１２のようにして求めた立方体の１つを代表的に示した図である。
【０１１３】
この図１３において、黒丸は、この図１３には一部しか図示していないが、カラーチャートを構成する各カラーパッチそれぞれに対応する座標点を示している。この各カラーパッチを出力するための各座標点（ＣＭＹＫデータ）は、図１２に示す各立方体の、各辺（図１３に示す実線）、面を通る各対角線（図１３に示す点線）、立方体内部を通る各対角線（図１３に示す一点鎖線）の両端に１点ずつと、それらの中間に例えば１点選択される。
【０１１４】
図５のステップａ６（図６（ａ６）では、これらの各辺、各対角線上に並ぶデータ群がそれぞれ１つの計算区分として分類される。
【０１１５】
図１３の立方体の黒丸は、図５のステップａ５で作成される対応関係Ｎを表わす座標点でもある。これに対し、図５のステップａ１２あるいは図１６のステップｂ５で求められる対応関係Ｍは、図１３ではＹ軸上のみ示したが、黒丸とハッチングされた丸印とで表わされる、対応関係Ｎよりもかなり多数の座標点で表わされ、さらに最終的に作成されるテーブルは、これも図１３ではＹ軸上のみ示したが、黒丸とハッチングされた丸印とさらに白丸として表わされる、さらに多数の座標点で表わされる。
【０１１６】
ここでは、上記のようにして、複数の既存のテーブルＴの中から選択されたテーブルＴ１の非線形特性を利用することにより、従来よりも少ない数のカラーパッチからなるカラーチャートを用いて高精度のテーブルＴ２が作成され、かつ、テーブルＴ２を作成するまでの間の手間を大幅に省くことができる。
【０１１７】
図１４は、本発明のプロファイル作成装置の機能ブロック図である。
【０１１８】
この図１４に示すプロファイル作成装置３００は、図３〜図４に示すパーソナルコンピュータ１０のハードウェアと、そのパーソナルコンピュータ１０内で実行されるソフトウェアとの組合せにより実現されている。
【０１１９】
この図１３に示すプロファイル作成装置３００は、色対応定義取得部３１０と、プロファイル作成部３２０と、プロファイル選択部３３０と、操作部３４０と、ディスプレイ３５０とから構成されている。
【０１２０】
色対応定義取得部３１０は、図５のステップａ５で作成される対応関係Ｎに相当する色対応定義をこのプロファイル作成装置３００に入力する役割りを担っており、色対応定義が通信で送られてくるときは、図４に示す入力インタフェース１１６がこれに相当し、あるいは図５を参照して説明したようにして作成した色対応定義（対応関係Ｎ）をオペレータが図３に示すキーボード１３から入力するときは、そのキーボード１３がこれに相当し、作成された色対応定義（対応関係Ｎ）がフロッピィディスク１１０（図４参照）に格納されており、そのフロッピィディスク１１０に格納された色対応定義をこのプロファイル作成装置３００（パーソナルコンピュータ１０）に入力するときは、図４に示すＦＤドライバ１１４がこれに相当する。
【０１２１】
図１４のプロファイル作成装置３００のプロファイル作成部３２０は、図４に示すＣＰＵ１１１と、そのＣＰＵ１１１で実行される、プロファイル作成のための、図５のステップａ６〜ａ１４に相当する演算を行なうプログラムとの組合せがこれに相当する。
【０１２２】
プロファイル選択部３３０には、既存の複数のテーブルＴが格納されており、このプロファイル選択部３３０では、図５のステップａ２０、すなわち、図１０，図１１，図１２のいずれかの処理が実行される。このプロファイル選択部３３０は、ハードウェア上は、図４に示す、複数のテーブルＴを格納しておくハードディスク装置１１３、処理を実行するＣＰＵ１１１、およびそのＣＰＵ１１１で実行される処理を記述したプログラム等から構成されている。
【０１２３】
操作子３３０は、ハードウェア上は、図３，図４に示すキーボード２３やマウス２４がこれに相当する。
【０１２４】
ディスプレイ３５０は、ハードウェア上は、図３，図４に画像表示装置１２０がこれに相当する。
【０１２５】
図１４に示すプロファイル作成装置３００によれば、プロファイル選択部３３０では、色対応定義取得部３１０で取得した色対応定義Ｎに基づいて既存の複数のテーブルＴの中から適切なテーブルがテーブルＴ１として選択され、プロファイル作成部３２０では、色対応定義取得部３１０で取得した色対応定義Ｎとプロファイル選択部３３０で選択されたテーブルＴ１とに基づいて新たなテーブルＴ２が作成される。
【０１２６】
またこのプロファイル作成装置３００は、以下に説明するような、複数の既存のテーブルＴの中から操作に応じてテーブルＴ１を選択するモードを有する。
【０１２７】
図１５は、プロファイル作成装置３００のディスプレイ３５０上に表示された画面を示す図である。
【０１２８】
ここには、色対応定義取得部３１０で得られた色対応定義（対応関係Ｎ）から求めたＣ，Ｍ，Ｙ，Ｋそれぞれのドットゲイン曲線（実線）と、既存の複数のテーブルＴ（ここではテーブルＡ，Ｂ，Ｃの３つ）の中から操作者による操作子３４ａ（例えば図３に示すマウス１４）の操作に応じて選択されたテーブル（ここではテーブルＡ）から求めた、Ｃ，Ｍ，Ｙ，Ｋそれぞれのドットゲイン曲線（点線）が示されている。操作子３４０の操作により、テーブルＡに代えて、テーブルＢあるいはテーブルＣが選択されると、テーブルＡのドットゲイン曲線に代えて、テーブルＢあるいはテーブルＣのドットゲイン曲線が表示される。
【０１２９】
操作者は、各テーブルＡ，Ｂ，Ｃのドットゲイン曲線を色対応定義のドットゲイン曲線と比較し、操作子３４０の操作により、それらのテーブルＡ，Ｂ，Ｃのうち、ドットゲイン曲線が色対応定義のドットゲイン曲線に最も近似したテーブルを選択する。
【０１３０】
図１４に示すプロファイル作成装置３００では、このようにして選択されたテーブルＴ１が新たなテーブルＴ２の作成のためにプロファイル作成部３２０に送られる。
【０１３１】
このように、マン・マシンインタフェースを備え、操作者の判断に役立つ情報を表示して操作者の判断によりテーブルＴ１を選択することができるように構成することが好ましい。
【０１３２】
尚、上記の実施形態では、ある印刷機２０（図１参照）の、ある印刷条件におけるテーブルＴ２を作成するに当たり、それと同じ印刷機の、異なる印刷条件における既存の複数のテーブルＴからテーブルＴ１選択したが、それ以外に、例えば印刷条件の似ている、機種の異なる印刷機で作成されたテーブルの中からテーブルＴ１を選択してもよい。
【０１３３】
また、上記実施形態では、出力デバイスの一例として印刷機を取り上げて説明したが、本発明は、印刷機のプロファイルを作成する場合にのみ適用されるものではなく、出力デバイス一般に広く適用することができる。
【０１３４】
【発明の効果】
以上説明したように、本発明によれば、少ない手間で高精度のプロファイルを作成することができる。
【図面の簡単な説明】
【図１】画像出力システムの概略構成図である。
【図２】図１に示す印刷機のプロファイルの概念図である。
【図３】図１に１つのブロックで示すパーソナルコンピュータの外観斜視図である。
【図４】パーソナルコンピュータのハードウェア構成図である。
【図５】本発明のプロファイル作成方法の一実施形態を示すフローチャートである。
【図６】図５のステップａ６〜ａ８の各ステップごとの処理の説明図である。
【図７】図５のステップａ９〜ａ１１の各ステップごとの処理の説明図である。
【図８】図５のステップａ２０の第１例を示すフローチャートである。
【図９】ドットゲインを模式的に示した図である。
【図１０】図５のステップａ２０の第２例を示すフローチャートである。
【図１１】図５のステップａ２０の第３例を示すフローチャートである。
【図１２】ＣＭＹＫ空間を、Ｋ＝０％，１０％，２０％，…，１００％それぞれのＣＭＹサブ空間に分けた様子を示す模式図である。
【図１３】図１２のようにして求めた立方体の１つを代表的に示した図である。
【図１４】本発明のプロファイル作成装置の機能ブロック図である。
【図１５】プロファイル作成装置のディスプレイ上に表示された画面を示す図である。
【図１６】プロファイル作成の従来方法を示すフローチャートである。
【符号の説明】
１０    パーソナルコンピュータ
１１    原稿画像
１１    本体装置
１２    画像表示装置
１３    キーボード
１４    マウス
１５    バス
２０    カラープリンタ
２１    プリント画像
２２    プロファイル
１１１    ＣＰＵ
１１２    主メモリ
１１３    ハードディスク装置
１１４    ＦＤドライバ
１１５    ＣＤ−ＲＯＭドライバ
１１６    入力インタフェース
１１７    出力インタフェース
３００    プロファイル作成装置
３１０    色対応定義取得部
３２０    プロファイル作成部
３３０    プロファイル選択部
３４０    操作部
３５０    ディスプレイ
【図１】
0003910323.tif 000008
【図２】
0003910323.tif 000009
【図３】
0003910323.tif 000010
【図４】
0003910323.tif 000011
【図５】
0003910323.tif 000012
【図６】
0003910323.tif 000013
【図７】
0003910323.tif 000014
【図８】
0003910323.tif 000015
【図９】
0003910323.tif 000016
【図１０】
0003910323.tif 000017
【図１１】
0003910323.tif 000018
【図１２】
0003910323.tif 000019
【図１３】
0003910323.tif 000020
【図１４】
0003910323.tif 000021
【図１５】
0003910323.tif 000022
【図１６】
0003910323.tif 000023